【手続補正書】
【提出日】平成18年12月6日(2006.12.6)
【手続補正１】
【補正対象書類名】特許請求の範囲
【補正対象項目名】全文
【補正方法】変更
【補正の内容】
【特許請求の範囲】
【請求項１】
遊技領域内に設けられた始動手段に遊技球が検出されることに起因して抽出される抽出値により、遊技者に有利な状態である特別遊技を実行するか否かを抽選する特別遊技抽選手段と、
前記特別遊技を実行するか否かの抽選確率が通常確率である通常確率状態時に所定条件が成立した場合、前記特別遊技を実行するか否かの抽選確率が高確率である高確率状態に変更させる確率変更手段と、
電源が遮断される際に電源遮断直前の遊技状態を記憶し、電源復帰後に電源遮断直前の遊技状態から遊技が再開できるようにするためのバックアップ手段と、
を備える遊技機において、
通常確率状態時に所定条件が成立して高確率状態になった場合における高確率状態時の報知手段による報知パターンは、通常確率状態時の前記報知手段による報知パターンと同様とし、電源復帰後に前記バックアップ手段の記憶に基づき高確率状態になった場合における高確率状態時の前記報知手段による報知パターンは、通常確率状態時の前記報知手段による報知パターンと異ならせるようにし、且つ、前記報知手段における通常確率状態時の報知パターンと異なる報知パターンは、高確率状態が終了するまで継続するように設定したことを特徴とする遊技機。
【請求項２】
遊技領域内に設けられた始動手段に遊技球が検出されることに起因して抽出される抽出値により、遊技者に有利な状態である特別遊技を実行するか否かを抽選する特別遊技抽選手段と、
前記特別遊技を実行するか否かの抽選確率が通常確率である通常確率状態時に所定条件が成立した場合、前記特別遊技を実行するか否かの抽選確率が高確率である高確率状態に変更させる確率変更手段と、
電源が遮断される際に電源遮断直前の遊技状態を記憶し、電源復帰後に電源遮断直前の遊技状態から遊技が再開できるようにするためのバックアップ手段と、
を備える遊技機において、
通常確率状態時に所定条件が成立して高確率状態になった場合には特別な報知を行わず、電源復帰後にバックアップ手段の記憶に基づき高確率状態になった場合には特別な報知を行うようにし、且つ、前記特別な報知は、高確率状態が終了するまで継続するように設定したことを特徴とする遊技機。
【手続補正２】
【補正対象書類名】明細書
【補正対象項目名】００１０
【補正方法】変更
【補正の内容】
【００１０】
前記課題を解決するため請求項１に記載の遊技機は、遊技領域内に設けられた始動手段に遊技球が検出されることに起因して抽出される抽出値により、遊技者に有利な状態である特別遊技を実行するか否かを抽選する特別遊技抽選手段と、前記特別遊技を実行するか否かの抽選確率が通常確率である通常確率状態時に所定条件が成立した場合、前記特別遊技を実行するか否かの抽選確率が高確率である高確率状態に変更させる確率変更手段と、電源が遮断される際に電源遮断直前の遊技状態を記憶し、電源復帰後に電源遮断直前の遊技状態から遊技が再開できるようにするためのバックアップ手段と、を備える遊技機において、通常確率状態時に所定条件が成立して高確率状態になった場合における高確率状態時の報知手段による報知パターンは、通常確率状態時の前記報知手段による報知パターンと同様とし、電源復帰後に前記バックアップ手段の記憶に基づき高確率状態になった場合における高確率状態時の前記報知手段による報知パターンは、通常確率状態時の前記報知手段による報知パターンと異ならせるようにし、且つ、前記報知手段における通常確率状態時の報知パターンと異なる報知パターンは、高確率状態が終了するまで継続するように設定したことを特徴とする遊技機である。
【手続補正３】
【補正対象書類名】明細書
【補正対象項目名】００１６
【補正方法】変更
【補正の内容】
【００１６】
ここでいう「報知パターンと異ならせる」とは、通常確率状態時に所定条件が成立して高確率状態になった場合と電源復帰後にバックアップ手段の記憶に基づき高確率状態になった場合と異ならすことはもちろんのこと、通常確率状態時に所定条件が成立して高確率状態になった場合には特別な報知を行わず、電源復帰後にバックアップ手段の記憶に基づき高確率状態になった場合にのみ報知を行うことも含まれる。特別な報知を行わずとは、高確率状態であっても通常確率状態時の報知パターンと同じ報知パターンで報知するということである。
報知手段としては、盤面や遊技機枠に設けられたランプ類、スピーカ、遊技者に当りであるか否かを知らすために使用する図柄を表示する図柄表示装置などが考えられる。
また、電源復帰後にバックアップ手段の記憶に基づき高確率状態になった場合には、通常確率状態時に所定条件が成立して高確率状態になった場合とで異なる報知パターンを高確率状態が続いている限り継続して報知する。異なる報知パターンを高確率状態が続くかぎり継続して報知させることで店員や遊技者が気が付く可能性が増し、不正の早期発見に繋がるようになる。
【手続補正４】
【補正対象書類名】明細書
【補正対象項目名】００１７
【補正方法】変更
【補正の内容】
【００１７】
報知をＬＥＤやランプで行う場合には、明るさの強弱、点灯と消灯のタイミングの違い、発光色の違いなどで報知パターンを異ならせることが考えられ、報知をスピーカを使って音により行う場合には音の高低、テンポ、曲の違いなどで報知パターンを異ならせることが考えられ、報知を表示によって行う場合には、背景や図柄の色の違い、表示内容（キャラクターなど）の違いで報知パターンを異ならせることが考えられる。
【手続補正５】
【補正対象書類名】明細書
【補正対象項目名】００１９
【補正方法】変更
【補正の内容】
【００１９】
請求項２に記載の発明は、遊技領域内に設けられた始動手段に遊技球が検出されることに起因して抽出される抽出値により、遊技者に有利な状態である特別遊技を実行するか否かを抽選する特別遊技抽選手段と、前記特別遊技を実行するか否かの抽選確率が通常確率である通常確率状態時に所定条件が成立した場合、前記特別遊技を実行するか否かの抽選確率が高確率である高確率状態に変更させる確率変更手段と、電源が遮断される際に電源遮断直前の遊技状態を記憶し、電源復帰後に電源遮断直前の遊技状態から遊技が再開できるようにするためのバックアップ手段と、を備える遊技機において、通常確率状態時に所定条件が成立して高確率状態になった場合には特別な報知を行わず、電源復帰後にバックアップ手段の記憶に基づき高確率状態になった場合には特別な報知を行うようにし、且つ、前記特別な報知は、高確率状態が終了するまで継続するように設定したことを特徴とする遊技機である。
【手続補正６】
【補正対象書類名】明細書
【補正対象項目名】００２０
【補正方法】変更
【補正の内容】
【００２０】
ここでいう「特別な報知を行わず」とは、高確率状態であっても通常確率状態時の報知パターンと同じ報知パターンで報知するということである。
【手続補正７】
【補正対象書類名】明細書
【補正対象項目名】００２１
【補正方法】削除
【補正の内容】
【手続補正８】
【補正対象書類名】明細書
【補正対象項目名】００２２
【補正方法】削除
【補正の内容】
【手続補正９】
【補正対象書類名】明細書
【補正対象項目名】００２３
【補正方法】削除
【補正の内容】
【手続補正１０】
【補正対象書類名】明細書
【補正対象項目名】００２４
【補正方法】削除
【補正の内容】
【手続補正１１】
【補正対象書類名】明細書
【補正対象項目名】００２５
【補正方法】削除
【補正の内容】
【手続補正１２】
【補正対象書類名】明細書
【補正対象項目名】００２６
【補正方法】削除
【補正の内容】
【手続補正１３】
【補正対象書類名】明細書
【補正対象項目名】００２７
【補正方法】削除
【補正の内容】
【手続補正１４】
【補正対象書類名】明細書
【補正対象項目名】００２８
【補正方法】削除
【補正の内容】
【手続補正１５】
【補正対象書類名】明細書
【補正対象項目名】００２９
【補正方法】削除
【補正の内容】
【手続補正１６】
【補正対象書類名】明細書
【補正対象項目名】００３０
【補正方法】削除
【補正の内容】
【手続補正１７】
【補正対象書類名】明細書
【補正対象項目名】００３１
【補正方法】変更
【補正の内容】
【００３１】
請求項１の発明によれば、通常確率状態時に所定条件が成立して高確率状態になった場合における高確率状態時の報知手段による報知パターンは、通常確率状態時の前記報知手段による報知パターンと同様とすることで趣向性を向上させることができ、電源復帰後に前記バックアップ手段の記憶に基づき高確率状態になった場合における高確率状態時の前記報知手段による報知パターンは、通常確率状態時の前記報知手段による報知パターンと異ならせるようにしたことで不正の早期発見が可能になる。
通常、停電は頻繁に発生しないので、電源投入時にいきなり高確率状態になるということはあまりないといえる。つまり、通常確率状態での報知パターンでない報知パターンによって報知されていた場合には、店員は直ぐに気が付くことが出来、停電の有り無し及び他の店員にパチンコ遊機の電源を遮断したかを確認すれば、不正のＲＯＭに交換されているのかおおよその判断が可能になる。もし、不正なＲＯＭに交換されている可能性があれば、その遊技台を確認することで正確な判断が出来るようになる。
パチンコ遊技店には沢山のパチンコ遊技機が設置され、１日の営業時間はおよそ１４時間であるが、そのパチンコ遊技機の全てを正規なＲＯＭが付いているか不正なＲＯＭが付いているのかを確認するのは大変な労力が必要になる。また、正規なＲＯＭから不正なＲＯＭに交換されるタイミングは１４時間も存在することになる。つまり、頻繁に正規なＲＯＭが付いているか否かを確認しなければならない。しかし、実際の遊技店の多くは、全ての遊技機を頻繁に調べることは不可能に近いため閉店後に調べている。閉店後に調べるということは、仮に不正なＲＯＭが付けられていた場合には遊技店にとって大きな損害を被ることになる。しかし、本発明を使用すれば、通常確率状態での報知パターンでない報知パターンによって報知されていた場合にその遊技台だけを調べればよいので、多大な労力を有さなくても不正の早期発見が可能になる。
また、異なる報知パターンを高確率状態が続くかぎり継続させることで店員や遊技者が気が付く可能性が増し、不正の早期発見に繋がるようになる。
【手続補正１８】
【補正対象書類名】明細書
【補正対象項目名】００３２
【補正方法】変更
【補正の内容】
【００３２】
請求項２の発明によれば、通常確率状態時に所定条件が成立して高確率状態になった場合には特別な報知を行わないようにしたことで趣向性を向上させることができ、電源復帰後にバックアップ手段の記憶に基づき高確率状態になった場合には特別な報知を行うようしたことで不正の早期発見が可能になる。
また、特別な報知を高確率状態が続くかぎり継続させることで店員や遊技者が気が付く可能性が増し、不正の早期発見に繋がるようになる。
【手続補正１９】
【補正対象書類名】明細書
【補正対象項目名】００３３
【補正方法】削除
【補正の内容】
【手続補正２０】
【補正対象書類名】明細書
【補正対象項目名】００３４
【補正方法】削除
【補正の内容】
【手続補正２１】
【補正対象書類名】明細書
【補正対象項目名】００３５
【補正方法】削除
【補正の内容】
【手続補正２２】
【補正対象書類名】明細書
【補正対象項目名】００３６
【補正方法】削除
【補正の内容】
【手続補正２３】
【補正対象書類名】明細書
【補正対象項目名】００３７
【補正方法】削除
【補正の内容】